(57)【要約】      （修正有）【課題】書類を構成する用紙の枚数に関わらず見栄えよく製本することができる製本テープを提供する。【解決手段】複数枚の用紙を重ね合わせた書類の綴じ元側外面に貼り付けて製本するための製本テープ１に、書類の一面側及び他面側にそれぞれ貼着される第１、第２の領域及びこれら両領域間に位置する中間領域２ａ３を備えた粘着面を内面側に形成してなるテープ本体２と、このテープ本体の第１、第２の領域にそれぞれ剥離可能に被着された第１、第２の剥離紙３、４と、前記中間領域に剥離可能に被着された略一定幅をなす調節用剥離紙５と、第１の剥離紙のみを剥離させることができる単独剥離状態及び第１の剥離紙を剥離させる際に調節用剥離紙が連動して剥離する連続剥離状態を、第１の剥離紙をめくり始める位置の違いに対応させて選択的に実現させる選択剥離手段６とを具備させる。【選択図】図１０
2014024204.tif 000002
【特許請求の範囲】
【請求項１】
複数枚の用紙を重ね合わせた書類の綴じ元側外面に貼り付けて製本するためのものであって、
書類の一面側に貼着される第１の領域、他面側に貼着される第２の領域及びこれら両領域間に位置する中間領域を備えた粘着面を内面側に形成してなるテープ本体と、
このテープ本体の第１の領域に剥離可能に被着された第１の剥離紙と、
前記テープ本体の第２の領域に剥離可能に被着された第２の剥離紙と、
前記中間領域に剥離可能に被着された略一定幅をなす調節用剥離紙と、
第１の剥離紙のみを剥離させることができる単独剥離状態及び第１の剥離紙を剥離させる際に調節用剥離紙が連動して剥離する連続剥離状態を、第１の剥離紙をめくり始める位置の違いに対応させて選択的に実現させる選択剥離手段とを具備してなることを特徴とする製本テープ。
【請求項２】
表面に第１の剥離紙をめくり始める位置を示す複数のマーカーを備えたものである請求項１記載の製本テープ。
【請求項３】
第１の剥離紙の一方の外縁角部に設けられ単独剥離状態を実現するための第１のマーカーと、前記第１の剥離紙の他方の外縁角部に設けられ連続剥離状態を実現するための第２のマーカーとを備えたものであって、
前記選択剥離手段が、前記第１のマーカーが設けられた一方の端部において第１の部分接続部を介して前記第２の剥離紙と前記調節用剥離紙とを接続するとともに前記第２のマーカーが設けられた他方の端部において第２の部分接続部を介して前記第１の剥離紙と前記調節用剥離紙とを接続したものである請求項２記載の製本テープ。
【請求項４】
前記中間領域に剥離可能に被着された第１の調節用剥離紙と第２の調節用剥離紙とを具備し、前記選択剥離手段が、第１の剥離紙のみを剥離させる単独剥離状態と、第１の剥離紙に連動して第１の調節用剥離紙が剥離される第１の連続剥離状態と、第１の剥離紙を剥離させる際に第１及び第２の調節用剥離紙が連動して剥離される第２の連続剥離状態とを、第１の剥離紙をめくり始める位置の違いに対応させて選択的に実現させるものである請求項１又は２記載の製本テープ。
【請求項５】
第１の剥離紙の一方の外縁角部に設けられ単独剥離状態を実現するための第１のマーカーと、前記第１の剥離紙の他方の外縁角部に設けられ第１の連続剥離状態を実現するための第２のマーカーと、前記第１のマーカーが設けられている端部において第１の剥離紙、第１の調節用剥離紙及び第２の調節用剥離紙をほぼ同時にめくり上げて第２の連続剥離状態を実現すべくこれら剥離紙の端部に施された第３のマーカーとを備え、
前記選択剥離手段が、前記第１のマーカーが設けられた一方の端部から第１の控え距離だけ内側に位置させた第１の部分接続部を介して前記第１の剥離紙と前記第１の調節用剥離紙とを接続し、前記第２のマーカーが設けられた他方の端部において第２の部分接続部を介して前記第１の剥離紙と前記第１の調節用剥離紙とを接続し、前記他方の端部から第３の控え距離だけ内側に位置させた第３の部分接続部を介して前記第１の調節用剥離紙と前記第２の調節用剥離紙とを接続し、前記一方の端部において第４の部分接続部を介して前記第１の調節用剥離紙と前記第２の調節用剥離紙とを接続し、前記一方の端部から第５の控え距離だけ内側に位置させた第５の部分接続部を介して前記第２の剥離紙と前記第２の調節用剥離紙とを接続し、前記他方の端部において第６の部分接続部を介して前記第２の剥離紙と前記第２の調節用剥離紙とを接続したものである請求項４記載の製本テープ。
【請求項６】
前記第１の控え距離が、前記第３のマーカーからめくり始める際に前記第１の調節用剥離紙と前記第１の剥離紙とを連動させるのに必要な値に設定してある請求項５記載の製本テープ。
【請求項７】
前記第５の控え距離が、前記第３のマーカーからめくり始める際に前記第１の調節用剥離紙と前記第１の剥離紙との連動を妨げない値に設定してある請求項６記載の製本テープ。
【請求項８】
前記第１の部分接続部が、前記第５の部分接続部を基点として前記一方の端縁に向けて４５度の傾斜をなして延びる仮想線よりも前記一方の端縁側に配されている請求項７記載の製本テープ。
【発明の詳細な説明】
【技術分野】
【０００１】
本発明は、複数枚の用紙を重ね合わせた書類の綴じ元側外面に貼り付けて製本するための製本テープに関する。
【背景技術】
【０００２】
複数枚の用紙を重ね合わせた書類の綴じ元側外面に貼り付けて製本するための製本テープとして、書類の一面側に貼着される第１の領域、他面側及び背部分に貼着される第２の領域を備えた粘着面を備えた粘着面を内面側に形成してなるテープ本体と、このテープ本体の第１の領域に剥離可能に被着された第１の剥離紙と、前記テープ本体の第２の領域に剥離可能に被着された第２の剥離紙とを備えたものが従来より知られている（例えば、特許文献１を参照）。このような従来の製本テープを複数枚の用紙を重ね合わせた書類の綴じ元側外面に貼り付けて製本する際には、先に前記テープ本体の粘着面の第１の領域のみを露出させて前記第１の領域に書類の一面側を貼着し、その後前記テープ本体の粘着面の第２の領域及び中間領域を露出させてテープ本体を書類の綴じ元側外面に沿って折り曲げ、書類の背部分及び他面側に前記中間領域及び第２の領域をそれぞれ貼着する操作が行われる。
【０００３】
ところで、書類を構成する用紙の枚数は種々のものが存在するが、前述した従来の製本テープにおいては、書類を構成する用紙の枚数に係わらず一定の幅寸法を有する第２の領域を背部分及び用紙の前記他面側に貼着するため、以下に述べるような不具合が発生しうる。すなわち、この製本テープを用いて製本すると、書類を構成する用紙の枚数が多い場合と少ない場合とでこの製本テープが用紙の他面側に露出する部分の幅寸法が大きく異なる。そのため、書類を構成する用紙の枚数によっては、製本テープが用紙の一面側に露出する部分の幅寸法と他面側に露出する部分の幅寸法とが大きく異なり見栄えが著しく悪くなることがある。
【先行技術文献】
【特許文献】
【０００４】
【特許文献１】実開昭５９−２４３６１号公報
【発明の概要】
【発明が解決しようとする課題】
【０００５】
本発明は以上の点に着目し、書類を構成する用紙の枚数に関わらず見栄えよく製本することができる製本テープを提供することを目的とする。
【課題を解決するための手段】
【０００６】
このような課題を解決すべく、本発明に係る製本テープは以下のような構成を有する。すなわち本発明に係る製本テープは、複数枚の用紙を重ね合わせた書類の綴じ元側外面に貼り付けて製本するためのものであって、書類の一面側に貼着される第１の領域、他面側に貼着される第２の領域及びこれら両領域間に位置する中間領域を備えた粘着面を内面側に形成してなるテープ本体と、このテープ本体の第１の領域に剥離可能に被着された第１の剥離紙と、前記テープ本体の第２の領域に剥離可能に被着された第２の剥離紙と、前記中間領域に剥離可能に被着された略一定幅をなす調節用剥離紙と、第１の剥離紙を剥離させる際に調節用剥離紙が連動して剥離する連続剥離状態及び第１の剥離紙のみを剥離させることができる単独剥離状態を、第１の剥離紙をめくり始める位置の違いに対応させて選択的に実現させる選択剥離手段とを具備してなる。
【０００７】
このように構成したものであれば、書類を構成する用紙の枚数が多い場合には単独剥離状態で第１の剥離紙のみ剥離することにより、前記中間領域の全体及び第２の領域が書類の背部分及び書類の他面側に貼着するための領域として確保される。一方、書類を構成する用紙の枚数が少ない場合には第１の剥離紙を剥離させる際に調節用剥離紙が連動して剥離する連続剥離状態で剥離紙の剥離を行い、露出した領域に書類の一面側を貼着することにより、第２の領域のみ、あるいは第２の領域及び前記中間領域の一部のみが書類の背部分及び書類の他面側に貼着するための領域として確保される。すなわち、書類を構成する用紙の枚数の増加に対応させて書類の背部分に貼着するための領域をより多く確保することができ、用紙の他面側に露出する部分の幅寸法を用紙の枚数の多少に関わらず略一定にできる。
【０００８】
連続剥離状態を実現すべく第１の剥離紙をめくり始める位置及び単独剥離状態を実現すべく第１の剥離紙をめくり始める位置を使用者にわかりやすく示すためには、表面に第１の剥離紙をめくり始める位置を示す複数のマーカーを備えるのが望ましい。
【０００９】
第１の剥離紙の一方の外縁角部に設けられ単独剥離状態を実現するための第１のマーカーと、前記第１の剥離紙の他方の外縁角部に設けられ連続剥離状態を実現するための第２のマーカーとを備えさせた上で、書類を構成する用紙の枚数が比較的少ない場合及び書類を構成する用紙の枚数が比較的多い場合の２通りの使用態様に対応するために好適な前記選択剥離手段として、前記第１のマーカーが設けられた一方の端部において第１の部分接続部を介して前記第２の剥離紙と前記調節用剥離紙とを接続するとともに前記第２のマーカーが設けられた他方の端部において第２の部分接続部を介して前記第１の剥離紙と前記調節用剥離紙とを接続したものが挙げられる。
【００１０】
書類を構成する用紙の枚数に応じて３通りの使用態様に対応するために好適な前記選択剥離手段として、前記中間領域に剥離可能に被着された第１の調節用剥離紙と第２の調節用剥離紙とを具備し、前記選択剥離手段が、第１の剥離紙のみを剥離させる単独剥離状態と、第１の剥離紙に連動して第１の調節用剥離紙が剥離される第１の連続剥離状態と、第１の剥離紙を剥離させる際に第１及び第２の調節用剥離紙が連動して剥離される第２の連続剥離状態とを、第１の剥離紙をめくり始める位置の違いに対応させて選択的に実現させるものが挙げられる。
【００１１】
第１の剥離紙の一方の外縁角部に設けられ単独剥離状態を実現するための第１のマーカーと、前記第１の剥離紙の他方の外縁角部に設けられ第１の連続剥離状態を実現するための第２のマーカーと、前記第１のマーカーが設けられている端部において第１の剥離紙、第１の調節用剥離紙及び第２の調節用剥離紙を同時にめくり上げて第２の連続剥離状態を実現すべくこれら剥離紙の端部に施された第３のマーカーとを備えさせた上で、前述した３通りの使用態様に対応するためのより好適な前記選択剥離手段として、前記第１のマーカーが設けられた一方の端部から第１の控え距離だけ内側に位置させた第１の部分接続部を介して前記第１の剥離紙と前記第１の調節用剥離紙とを接続し、前記第２のマーカーが設けられた他方の端部において第２の部分接続部を介して前記第１の剥離紙と前記第１の調節用剥離紙とを接続し、前記他方の端部から第３の控え距離だけ内側に位置させた第３の部分接続部を介して前記第１の調節用剥離紙と前記第２の調節用剥離紙とを接続し、前記一方の端部において第４の部分接続部を介して前記第１の調節用剥離紙と前記第２の調節用剥離紙とを接続し、前記一方の端部から第５の控え距離だけ内側に位置させた第５の部分接続部を介して前記第２の剥離紙と前記第２の調節用剥離紙とを接続し、前記他方の端部において第６の部分接続部を介して前記第２の剥離紙と前記第２の調節用剥離紙とを接続したものが挙げられる。
【００１２】
前記第３のマーカーからめくり始める際に前記第２の連続剥離状態を確実に実現できるようにするための選択剥離手段の好適な構成として、前記第１の控え距離が、前記第３のマーカーからめくり始める際に前記第１の調節用剥離紙と前記第１の剥離紙とを連動させるのに必要な値に設定してあるものが挙げられる。
【００１３】
特に、前記第５の控え距離が、前記第３のマーカーからめくり始める際に前記第１の調節用剥離紙と前記第１の剥離紙との連動を妨げない値に設定してあるものであれば、前記第５の部分接続部を切断するより前に第１の調節用剥離紙と前記第１の剥離紙とを連動させて剥離できるので、前記第２の連続剥離状態をさらに確実に実現できる。
【００１４】
前段で述べた構成の製本テープを実現するための態様の一例として、前記第１の部分接続部が、前記第５の部分接続部を基点として前記一方の端縁に向けて４５度の傾斜をなして延びる仮想線よりも前記一方の端縁側に配されているものが挙げられる。
【発明の効果】
【００１５】
本発明の製本テープを採用すれば、書類を構成する用紙の枚数に関わらず見栄えよく製本することができる。
【図面の簡単な説明】
【００１６】
【図１】本発明の第一実施形態に係る製本テープの使用態様を示す斜視図。
【図２】同実施形態に係る製本テープを示す平面図。
【図３】図２における要部の拡大図。
【図４】図３におけるＡ−Ａ拡大断面図。
【図５】図３におけるＢ−Ｂ拡大断面図。
【図６】図２における要部の拡大図。
【図７】図６におけるＣ−Ｃ拡大断面図。
【図８】同実施形態に係る製本テープの単独剥離状態を示す斜視図。
【図９】同実施形態に係る製本テープを用いて製本する手順を示す斜視図。
【図１０】同実施形態に係る製本テープの連続剥離状態を示す斜視図。
【図１１】同実施形態に係る製本テープを用いて製本する手順を示す斜視図。
【図１２】図９におけるＤ−Ｄ断面図。
【図１３】図１１におけるＥ−Ｅ断面図。
【図１４】本発明の第二実施形態に係る製本テープを示す平面図。
【図１５】図１４における要部の拡大図。
【図１６】図１５におけるＦ−Ｆ拡大断面図。
【図１７】図１５におけるＧ−Ｇ拡大断面図。
【図１８】図１５におけるＨ−Ｈ拡大断面図。
【図１９】図１５におけるＩ−Ｉ拡大断面図。
【図２０】図１４における要部の拡大図。
【図２１】図２０におけるＪ−Ｊ拡大断面図。
【図２２】図２０におけるＫ−Ｋ拡大断面図。
【図２３】同実施形態に係る製本テープの単独連続剥離状態を示す斜視図。
【図２４】同実施形態に係る製本テープを用いて製本する手順を示す斜視図。
【図２５】同実施形態に係る製本テープの第１の連続剥離状態を示す斜視図。
【図２６】同実施形態に係る製本テープを用いて製本する手順を示す斜視図。
【図２７】同実施形態に係る製本テープの第２の剥離状態を示す斜視図。
【図２８】同実施形態に係る製本テープを用いて製本する手順を示す斜視図。
【図２９】図２４におけるＬ−Ｌ断面図。
【図３０】図２６におけるＭ−Ｍ断面図。
【図３１】図２８におけるＮ−Ｎ断面図。
【発明を実施するための形態】
【００１７】
本発明の第一実施形態について、図１〜図１３を参照しつつ以下に示す。
【００１８】
本実施形態の製本テープ１は、図１に示すように複数枚の用紙を重ね合わせた書類Ｓの綴じ元側外面に貼り付けて製本するためのものであって、図２〜図７に示すように、書類Ｓの一面側すなわち表面Ｓａ側に貼着される第１の領域２ａ１、他面側すなわち裏面Ｓｂ側に貼着される第２の領域２ａ２及びこれら両領域２ａ１、２ａ２間に位置する中間領域２ａ３を備えた粘着面２ａを内面側に形成してなるテープ本体２と、このテープ本体２の第１の領域２ａ１に剥離可能に被着された第１の剥離紙３と、前記テープ本体２の第２の領域２ａ２に剥離可能に被着された第２の剥離紙４と、前記中間領域２ａ３に剥離可能に被着された略一定幅をなす調節用剥離紙５と、第１の剥離紙３のみを剥離させることができる単独剥離状態及び第１の剥離紙３を剥離させる際に調節用剥離紙５が連動して剥離する連続剥離状態を、第１の剥離紙３をめくり始める位置の違いに対応させて選択的に実現させる選択剥離手段６とを具備する。またこの実施形態においては、図２、図３及び図６に示すように、前記テープ本体２の粘着面２ａの第１の領域２ａ１の長手方向両側に、書類Ｓの裏面Ｓｂ側に貼着される第３の領域２ａ４を備えている。この第３の領域２ａ４には、第３の剥離紙７が剥離可能に被着されている。
【００１９】
前記テープ本体２は、図４、図５及び図７に示すように、紙その他のシート素材により作られた基材２１の内面に粘着層２２を配してなり、この粘着層２２により粘着面２ａを形成している。前記粘着面２ａの第１の領域２ａ１、第２の領域２ａ２及び中間領域２ａ３は、いずれも製本すべき書類Ｓの長辺に対応した長手方向寸法を有した長方形をなしている。前記中間領域２ａ３は、書類Ｓの厚み寸法の違いに対処するために設けられたもので、前記第１の領域２ａ１及び前記第２の領域２ａ２よりも幅狭に設定されている。
【００２０】
前記第１の剥離紙３は、図２〜図７に示すように、前記テープ本体２の第１の領域２ａ１に剥離可能に被着されている。この第１の剥離紙３の表面には、この第１の剥離紙３をめくり始める位置を示す複数のマーカー３１、３２が印刷により施されている。より具体的には、図２、図３及び図６に示すように、この第１の剥離紙３における一方の外縁角部には前記単独剥離状態を実現するための第１のマーカー３１が施されているとともに、他方の外縁角部には前記連続剥離状態を実現するための第２のマーカー３２が施されている。さらに、この第１の剥離紙３の表面には、図２に示すように、前記第１のマーカー３１の使用方法を示す「(1)書類Ｓが２０〜４０枚のときはここから剥がし、書類Ｓの表面に貼り付ける」という表示３４ａと、前記第２のマーカー３２の使用方法を示す「(1)書類Ｓが２０枚以下のときはここから剥がし、書類Ｓの表面に貼り付ける」という表示３４ｂとも印刷により施されている。なお、本明細書中におけるマーカーの使用方法を示す表示中の「(1)」、「(2)」及び「(3)」は、実際にはそれぞれ丸囲み数字の１、２及び３である。
【００２１】
前記第２の剥離紙４は、図２〜図７に示すように、前記テープ本体２の第２の領域２ａ２に剥離可能に被着されている。この第２の剥離紙４の表面の両側端部には、図２に示すように、「(2)の部分を折り込む」という表示４１ａが印刷により施されている。また、前記第２の剥離紙４の表面の中央部には、図２に示すように、「(3)この部分を折り込む」４１ｂという表示が印刷により施されている。
【００２２】
前記調節用剥離紙５は、図２〜図７に示すように、前記テープ本体２の中間領域２ａ３に剥離可能に被着されており、全体が一定の幅寸法を有する細長い長方形状をなしている。
【００２３】
前記第３の剥離紙７は、図２、図３及び図６に示すように、前記テープ本体２の第３の領域２ａ４に剥離可能に被着されている。この第３の剥離紙７の表面には、「(2)」という表示７１が印刷により施されている。この第３の剥離紙７は、前記第１の剥離紙３の長手方向両端縁にそれぞれ隣接した位置に配されており前記第１の剥離紙３と完全に分断してある。
【００２４】
なお、これら剥離紙の表面に施された「(1)」、「(2)」及び「(3)」という表示は、製本作業の順序を示すものである。
【００２５】
前記選択剥離手段６は、図２〜図７に示すように、前記第１のマーカー３１が設けられた一方の端部において第１の部分接続部６１を介して前記第２の剥離紙４と前記調節用剥離紙５とを接続するとともに前記第２のマーカー３２が設けられた他方の端部において第２の部分接続部６２を介して前記第１の剥離紙３と前記調節用剥離紙５とを接続したものである。この実施形態においては、これら第１及び第２の部分接続部６１、６２以外の箇所において、前記第１の剥離紙３、前記第２の剥離紙４及び前記調節用剥離紙５を相互に完全に分断してある。すなわち、前記第１の剥離紙３と前記調節用剥離紙５との境界及び前記第２の剥離紙４と前記調節用剥離紙５との境界のうち、前記第１及び第２の部分接続部６１、６２以外の箇所には、これら境界の両側を分断すべく切込みを施して前記第１の剥離紙３と前記調節用剥離紙５との分断境界線６ａ及び前記第２の剥離紙４と前記調節用剥離紙５との分断境界線６ｂを形成してある。この実施形態においては、前記第１のマーカー３１に例えば青色等の色彩が施されているとともに、第２のマーカー３２に例えば赤色等の色彩が施されている。そして、前記第１の剥離紙３と前記調節用剥離紙５との分断境界線６ａ上に前記第１のマーカー３１に対応した青色等の色彩の図示しない印刷指示線が施されているとともに、前記第２の剥離紙４と前記調節用剥離紙５との分断境界線６ｂ上に前記第２のマーカー３２に対応した赤色等の色彩の図示しない印刷指示線が施されている。
【００２６】
次いで、この製本テープ１の使用方法を説明する。
【００２７】
まず、綴じるべき書類Ｓを構成する用紙の枚数が２０枚以上の場合すなわち書類Ｓが厚いものである場合には、図８に示すように、前記第１のマーカー３１から第１の剥離紙３を剥離させる。この場合には、第１の剥離紙３と調節用剥離紙５との間の分断境界線６ａに沿って第１の剥離紙３のみが剥離していき、最終的に第２の部分接続部６２が破断されて第１の剥離紙３が取り除かれる。その結果、テープ本体２の粘着面２ａにおける第１の領域２ａ１が露出する。この第１の領域２ａ１を、図９に示すように、書類Ｓの綴じ元側外面における表面Ｓａ側に貼着する。しかる後に、第３の剥離紙７を剥離させて第３の領域２ａ４を露出させ、この第３の領域２ａ４を書類Ｓの裏面Ｓｂ側に回り込ませて貼着する。その状態で、第２の剥離紙４を剥離させる。その際、この第２の剥離紙４に第１の部分接続部６１を介して接続されている調節用剥離紙５が連動して剥がされる。その結果、テープ本体２の粘着面２ａにおける第２の領域２ａ２及び中間領域２ａ３が露出する。これらの粘着面２ａを、図１２に示すように、書類Ｓの背Ｓｃの部分に巻き付けた上で書類Ｓの綴じ元側外面における裏面Ｓｂ側に貼着する。
【００２８】
一方、綴じるべき書類Ｓを構成する用紙の枚数が２０枚以下の場合すなわち書類Ｓが薄いものである場合には、図１０に示すように、前記第２のマーカー３２から第１の剥離紙３を剥離させる。この場合には、第２の剥離紙４と調節用剥離紙５との間の分断境界線６ｂに沿って第１の剥離紙３と調節用剥離紙５とが連動して剥離していく。すなわち、第１の剥離紙３を剥がし始めた直後に第２の部分接続部６２を介して接続されている調節用剥離紙５が連動して剥離することになり、最終的に第１の部分接続部６１が破断されて第１の剥離紙３及び調節用剥離紙５が取り除かれる。その結果、テープ本体２の粘着面２ａにおける第１の領域２ａ１及び中間領域２ａ３が露出する。これら第１の領域２ａ１及び中間領域２ａ３を、図１１に示すように、書類Ｓの綴じ元側外面における表面Ｓａ側に貼着する。しかる後に、第３の剥離紙７を剥離させて第３の領域２ａ４を露出させ、この第３の領域２ａ４を書類Ｓの裏面Ｓｂ側に回り込ませて貼着する。その状態で、第２の剥離紙４を剥離させる。その結果、テープ本体２の粘着面２ａにおける第２の領域２ａ２が露出する。この粘着面２ａの第２の領域２ａ２を、図１２に示すように、書類Ｓの背Ｓｃの部分に巻き付けた上で書類Ｓの綴じ元側外面における裏面Ｓｂ側に貼着する。
【００２９】
このような構成のものであれば、書類Ｓの綴じ元側外面における裏面Ｓｂ側に貼り付けたテープ本体２の先端側部分は、書類Ｓの厚みに関わらず、先に貼り付けたテープ本体２の基端側部分と同一又は近似した幅寸法のものとなる。すなわち、書類Ｓが厚いものである場合には、前記中間領域２ａ３が書類Ｓの背Ｓｃの部分に位置するので、先端側部分の幅が狭くなることを抑制することができる。一方、書類Ｓが薄いものである場合には、前記中間領域２ａ３が前記第１の領域２ａ１とともに書類Ｓの表面Ｓａ側に貼着されるので、先端側部分の幅が広くなりすぎることを抑制することができる。そのため、書類Ｓの表面に位置するテープ本体２の基端側部分の幅寸法と書類Ｓの裏面に位置するテープ本体２の先端側部分の幅寸法が大きく異なって体裁が損なわれるという不具合を解消することができる。
【００３０】
さらに本実施形態では、表面に、単独剥離状態を実現すべく第１の剥離紙３をめくり始める位置を示す第１のマーカー３１及び連続剥離状態を実現すべく第１の剥離紙３をめくり始める位置を示す第２のマーカー３２を備えているので、単独剥離状態又は連続剥離状態を実現すべく第１の剥離紙３をめくり始める位置を使用者にわかりやすく示すことができる。
【００３１】
次に、本発明の第二実施形態について、図１４〜図３１を参照しつつ以下に示す。なお、前述した第一実施形態におけるものに対応する各部位には、同一の名称及び符号を付している。
【００３２】
本実施形態の製本テープ１は、複数枚の用紙を重ね合わせた書類Ｓの綴じ元側外面に貼り付けて製本するためのものであって、図１４〜図２２に示すように、書類Ｓの一面側すなわち表面Ｓａ側に貼着される第１の領域２ａ１、他面側すなわち裏面Ｓｂ側に貼着される第２の領域２ａ２及びこれら両領域２ａ１、２ａ２間に位置する第１及び第２の中間領域２ａ３１、２ａ３２を備えた粘着面２ａを内面側に形成してなるテープ本体２と、このテープ本体２の第１の領域２ａ１に剥離可能に被着された第１の剥離紙３と、前記テープ本体２の第２の領域２ａ２に剥離可能に被着された第２の剥離紙４と、前記第１及び第２の中間領域２ａ３１、２ａ３２にそれぞれ剥離可能に被着された略一定幅をなす第１及び第２の調節用剥離紙５１、５２と、第１の剥離紙３のみを剥離させることができる単独剥離状態、第１の剥離紙３を剥離させる際に第１の調節用剥離紙５１が連動して剥離する第１の連続剥離状態及び第１の剥離紙３を剥離させる際に第１及び第２の調節用剥離紙５１、５２が連動して剥離する第２の連続剥離状態を、第１の剥離紙３をめくり始める位置の違いに対応させて選択的に実現させる選択剥離手段６とを具備する。またこの実施形態においては、図１４、図１５及び図２０に示すように、前記テープ本体２の粘着面２ａの第１の領域２ａ１の長手方向両側に、書類Ｓの他面側に貼着される第３の領域２ａ４を備えている。この第３の領域２ａ４には、第３の剥離紙７が剥離可能に被着されている。
【００３３】
前記テープ本体２は、図１６〜図１９、図２１〜図２２に示すように、紙その他のシート素材により作られた基材２１の内面に粘着層２２を配してなり、この粘着層２２により粘着面２ａを形成している。前記粘着面２ａの第１の領域２ａ１、第２の領域２ａ２並びに第１及び第２の中間領域２ａ３１、２ａ３２は、いずれも製本すべき書類Ｓの長辺に対応した長手方向寸法を有した長方形をなしている。前記第１及び第２の中間領域２ａ３１、２ａ３２は、書類Ｓの厚み寸法の違いに対処するために設けられたもので、いずれも前記第１の領域２ａ１及び前記第２の領域２ａ２よりも幅狭に設定されている。前記第１及び第２の中間領域２ａ３１、２ａ３２は互いに隣接している。前記第１の中間領域２ａ３１は、前記第１の領域２ａ１に隣接している。一方、前記第２の中間領域２ａ３２は、前記第２の領域２ａ２に隣接している。
【００３４】
前記第１の剥離紙３は、図１４〜図２２に示すように、前記テープ本体２の第１の領域２ａ１に剥離可能に被着されている。この第１の剥離紙３の表面には、図１４、図１５及び図２０に示すように、この第１の剥離紙３をめくり始める位置を示す複数のマーカー３１、３２、３３が印刷により施されている。より具体的には、この第１の剥離紙３における一方の外縁角部には前記単独剥離状態を実現するための第１のマーカー３１が施されているとともに、他方の外縁角部には前記第１の連続剥離状態を実現するための第２のマーカー３２が施されている。さらに、前記第１のマーカー３１が設けられている端部には前記第２の連続剥離状態を実現するための第３のマーカー３３が施されている。この第３のマーカー３３は、第１の調節用剥離紙５１及び第２の調節用剥離紙５２に跨って設けられている。加えて、この第１の剥離紙３の表面には、前記第１のマーカー３１の使用方法を示す「(1)書類Ｓが約５５〜８０枚」という表示３４ａと、前記第２のマーカー３２の使用方法を示す「(1)書類Ｓが約２５〜５５枚」という表示３４ｂと、前記第３のマーカー３３の使用方法を示す「(1)書類Ｓが０〜２５枚」という表示３４ｃと、綴じるべき書類Ｓの枚数によって剥がし始める箇所が異なることを使用者に示す「(1)書類Ｓの枚数によってはがす場所を変えます」という表示３４ｄとも印刷により施されている。
【００３５】
前記第２の剥離紙４は、図１４〜図２２に示すように、前記テープ本体２の第２の領域２ａ２に剥離可能に被着されている。この第２の剥離紙４の表面の両側端部には、「(2)の部分を折り込む」という表示４１ａが印刷により施されている。また、前記第２の剥離紙４の表面の中央部には、「(3)残りをはがす」という表示４１ｂが印刷により施されている。
【００３６】
前記第１及び第２の調節用剥離紙５１、５２は、それぞれ前記テープ本体２の第１及び第２の中間領域２ａ３１、２ａ３２に剥離可能に被着されており、全体が一定の幅寸法を有する細長い長方形状をなしている。また、前述したように、これら第１及び第２の調節用剥離紙５１、５２と前記第１の剥離紙３の端部に跨る領域には、前記第３のマーカー３３が施されている。
【００３７】
前記第３の剥離紙７は、図１４、図１５及び図２０に示すように、前記テープ本体２の第３の領域２ａ４に剥離可能に被着されている。この第３の剥離紙７の表面には、「(2)」という表示７１が印刷により施されている。この第３の剥離紙７は、前記第１の剥離紙３の長手方向両端縁にそれぞれ隣接した位置に配されており前記第１の剥離紙３と完全に分断してある。
【００３８】
なお、これら剥離紙の表面に施された「(1)」、「(2)」及び「(3)」という表示は、製本作業の順序を示すものである。
【００３９】
前記選択剥離手段６は、図１４〜図２２に示すように、前記第１のマーカー３１が設けられた一方の端部から第１の控え距離ｄ１だけ内側に位置させた第１の部分接続部６０１を介して前記第１の剥離紙３と前記第１の調節用剥離紙５１とを接続し、前記第２のマーカー３２が設けられた他方の端部において第２の部分接続部６０２を介して前記第１の剥離紙３と前記第１の調節用剥離紙５１とを接続し、前記他方の端部から第３の控え距離ｄ３だけ内側に位置させた第３の部分接続部６０３を介して前記第１の調節用剥離紙５１と前記第２の調節用剥離紙５２とを接続し、前記一方の端部において第４の部分接続部６０４を介して前記第１の調節用剥離紙５１と前記第２の調節用剥離紙５２とを接続し、前記一方の端部から第５の控え距離ｄ５だけ内側に位置させた第５の部分接続部６０５を介して前記第２の剥離紙４と前記第２の調節用剥離紙５２とを接続し、前記他方の端部において第６の部分接続部６０６を介して前記第２の剥離紙４と前記第２の調節用剥離紙５２とを接続したものである。前記第１の控え距離ｄ１は、前記第３のマーカー３３からめくり始める際に前記第１の調節用剥離紙５１と前記第１の剥離紙３とを連動させるのに必要な値に設定してある。前記第３の控え距離ｄ３は、前記第２の部分接続部６０２を切断する際に第１の調節用剥離紙５１と第２の調節用剥離紙５２とが連結された状態を保つのに必要な値に設定している。前記第５の控え距離ｄ５は、前記第３のマーカー３３からめくり始める際に前記第１の調節用剥離紙５１と前記第１の剥離紙３との連動を妨げない値に設定してある。さらに詳述すると、前記第５の部分接続部６０５を基点とし前記第１及び第３のマーカー３１、３３を施した端縁に向けて伸び第２の剥離紙４と第２の調節用剥離紙５２との境界と４５度の傾斜をなして延びる仮想線Ｌよりも前記第１及び第３のマーカー３１、３３側に前記第１の部分接続部６０１が配されるように前記第５の控え距離ｄ５を設定している。具体的には、前記第１の剥離紙３の長手方向寸法をＡ４サイズの用紙の長辺に対応する長さに設定した場合、例えば前記第１の控え距離ｄ１は５ｍｍ程度、前記第３の控え距離ｄ３は１０ｍｍ程度、前記第５の控え距離ｄ５は１０ｍｍ程度にそれぞれ設定しておくのがよい。また、この場合、前記第１、第３及び第５の部分接続部６０１、６０３、６０５の長さは、それぞれ０．３〜０．５ｍｍ程度にそれぞれ設定しておくのがよい。さらに、前記第２，第４及び第６の部分接続部６０２、６０４、６０６の長さは、それぞれ１ｍｍ程度にそれぞれ設定しておくのがよい。この実施形態においては、これら第１〜第６の部分接続部６０１〜６０６以外の箇所において、前記第１の剥離紙３、前記第２の剥離紙４並びに前記第１及び第２の調節用剥離紙５１、５２を相互に完全に分断してある。すなわち、前記第１の剥離紙３と前記第１の調節用剥離紙５１との境界、前記第１の調節用剥離紙５１と前記第２の調節用剥離紙５２との境界及び前記第２の剥離紙４と前記第２の調節用剥離紙５２との境界のうち、前記第１〜第６の部分接続部６０１〜６０６以外の箇所には、これら境界の両側を分断すべく切込みを施して前記第１の剥離紙３と前記第１の調節用剥離紙５１との分断境界線６ｘ、前記第１の調節用剥離紙５１と前記第２の調節用剥離紙５２との分断境界線６ｙ及び前記第２の剥離紙４と前記第２の調節用剥離紙５２との分断境界線６ｚを形成してある。この実施形態においては、前記第１のマーカー３１に例えば青色等の色彩が施されているとともに、第２及び第３のマーカー３３に例えば赤色等の色彩が施されている。また、前記第１のマーカー３１の使用方法を示す表示３４ａの周囲には前記第１のマーカー３１に対応した青色等の色彩の囲み線が施されているとともに、前記第２のマーカー３２の使用方法を示す表示３４ｂの周囲には前記第２のマーカー３２に対応した赤色等の色彩の実線の囲み線が施されており、さらに前記第３のマーカー３３の使用方法を示す表示３４ｃの周囲には前記第３のマーカー３３に対応した赤色等の色彩の破線の囲み線が施されている。そして、前記第１の剥離紙３と前記第１の調節用剥離紙５１との分断境界線６ｘ上に前記第１のマーカー３１に対応した青色等の色彩の図示しない印刷指示線が施されているとともに、前記第１の調節用剥離紙５１と前記第２の調節用剥離紙５２との分断境界線６ｙ上に前記第２のマーカー３２に対応した赤色等の色彩の図示しない実線の印刷指示線が施されており、さらに前記第２の剥離紙４と前記第２の調節用剥離紙５２との分断境界線６ｚ上に前記第３のマーカー３３に対応した赤色等の色彩の図示しない破線の印刷指示線が施されている。
【００４０】
次いで、この製本テープ１の使用方法を説明する。
【００４１】
まず、綴じるべき書類Ｓを構成する用紙の枚数が５５枚以上の場合すなわち書類Ｓが厚いものである場合には、前記第１のマーカー３１から第１の剥離紙３を剥離させる。この場合には、図２３に示すように、第１の剥離紙３と第１の調節用剥離紙５１との間の分断境界線６ｘに沿って第１の剥離紙３のみが剥離していき、先に第１の部分接続部６０１が破断される。ここで、第１の調節用剥離紙５１は、前記第１の部分接続部６０１よりも第１のマーカー３１側の端縁寄りに位置する第４の部分接続部６０４を介して第２の調節用剥離紙５２に接続されており、さらに第２の調節用剥離紙５２は第５及び第６の部分接続部６０５、６０６を介して第２の剥離紙４に接続されているので、第１の部分接続部６０１が破断される際に第１の調節用剥離紙５１はつられて剥離されない。最終的には、第２の部分接続部６０２が破断されて第１の剥離紙３が取り除かれる。ここで、第１の調節用剥離紙５１は、前記第２の部分接続部６０２よりも第１のマーカー３１側の端縁寄りに位置する第３の部分接続部６０３を介して第２の調節用剥離紙５２に接続されており、さらに第２の調節用剥離紙５２は第５及び第６の部分接続部６０５、６０６を介して第２の剥離紙４に接続されているので、第２の部分接続部６０２が破断される際も第１の調節用剥離紙５１はつられて剥離されない。その結果、テープ本体２の粘着面２ａにおける第１の領域２ａ１が露出する。この第１の領域２ａ１を、図２４に示すように、書類Ｓの綴じ元側外面における表面Ｓａ側に貼着する。しかる後に、第３の剥離紙７を剥離させて第３の領域２ａ４を露出させ、この第３の領域２ａ４を書類Ｓの裏面Ｓｂ側に回り込ませて貼着する。その状態で、第２の剥離紙４を剥離させる。その際、この第２の剥離紙４に第５及び第６の部分接続部６０５、６０６を介して接続されている第２の調節用剥離紙５２、及びこの第２の調節用剥離紙５２に第３及び第４の部分接続部６０３、６０４を介して接続されている第１の調節用剥離紙５１が連動して剥がされる。その結果、テープ本体２の粘着面２ａにおける第２の領域２ａ２並びに第１及び第２の中間領域２ａ３１、２ａ３２が露出する。これらの粘着面２ａを、図２９に示すように書類Ｓの背Ｓｃの部分に巻き付けた上で書類Ｓの綴じ元側外面における裏面Ｓｂ側に貼着する。
【００４２】
また、綴じるべき書類Ｓを構成する用紙の枚数が２５枚以上５５枚以下の場合すなわち書類Ｓの厚さが中程度のものである場合には、図２５に示すように、前記第２のマーカー３２から第１の剥離紙３を剥離させる。この場合には、第１の調節用剥離紙５１と第２の調節用剥離紙５２との間の分断境界線６ｙに沿って第１の剥離紙３と第１の調節用剥離紙５１とが連動して剥離していく。すなわち、第１の剥離紙３を剥がし始めた直後に第２の部分接続部６０２を介して接続されている第１の調整用剥離紙５１が連動して剥離する。それから第３の部分接続部６０３が破断される。ここで、第２の調節用剥離紙５２は、前記第３の部分接続部６０３よりも第２のマーカー３２側の端縁寄りに位置する第６の部分接続部６０６を介して第２の剥離紙４に接続されているので、第３の部分接続部６０３が破断される際に第２の調節用剥離紙５２はつられて剥離されない。最終的には、第４の部分接続部６０４が破断されて第１の剥離紙３及び第１の調節用剥離紙５１が取り除かれる。ここで、第２の調節用剥離紙５２は、前記第４の部分接続部６０４よりも第２のマーカー３２側の端縁寄りに位置する第５の部分接続部６０５、及び第６の部分接続部６０６を介して第２の剥離紙４に接続されているので、第４の部分接続部６０４が破断される際にも第２の調節用剥離紙５２はつられて剥離されない。その結果、テープ本体２の粘着面２ａにおける第１の領域２ａ１及び第１の中間領域２ａ３１が露出する。これら第１の領域２ａ１及び第１の中間領域２ａ３１を、図２６に示すように、書類Ｓの綴じ元側外面における表面Ｓａ側に貼着する。しかる後に、第３の剥離紙７を剥離させて第３の領域２ａ４を露出させ、この第３の領域２ａ４を書類Ｓの裏面Ｓｂ側に回り込ませて貼着する。その状態で、第２の剥離紙４を剥離させる。その際、この第２の剥離紙４に第５及び第６の部分接続部６０５、６０６を介して接続されている第２の調節用剥離紙５２が連動して剥がされる。その結果、テープ本体２の粘着面２ａにおける第２の領域２ａ２及び第２の中間領域２ａ３２が露出する。これらの粘着面２ａを、図３０に示すように、書類Ｓの背Ｓｃの部分に巻き付けた上で書類Ｓの綴じ元側外面における裏面Ｓｂ側に貼着する。
【００４３】
そして、綴じるべき書類Ｓを構成する用紙の枚数が２５枚以下の場合すなわち書類Ｓが薄いものである場合には、図２７に示すように、前記第３のマーカー３３から第１の剥離紙３を剥離させる。この場合には、第２の剥離紙４と第２の調節用剥離紙５２との間の分断境界線６ｚに沿って第１の剥離紙３と第１及び第２の調節用剥離紙５１、５２とが連動して剥離していく。すなわち、第２の調節用剥離紙５２を剥がし始めた直後に第４の部分接続部６０４を介して接続されている第１の調節用剥離紙５１が連動して剥離し、しかる後に、又は同時に第１の部分接続部６０１を介して第１の調節用剥離紙５１に接続されている第１の剥離紙３が連動して剥離することになる。それから第５の部分接続部６０５が破断される。最終的には、第６の部分接続部６０６が破断されて第１の剥離紙３並びに第１及び第２の調節用剥離紙５１、５２が取り除かれる。その結果、テープ本体２の粘着面２ａにおける第１の領域２ａ１並びに第１及び第２の中間領域２ａ３１、２ａ３２が露出する。これら第１の領域２ａ１並びに第１及び第２の中間領域２ａ３１、２ａ３２を、図２８に示すように、書類Ｓの綴じ元側外面における表面Ｓａ側に貼着する。しかる後に、第３の剥離紙７を剥離させて第３の領域２ａ４を露出させ、この第３の領域２ａ４を書類Ｓの裏面Ｓｂ側に回り込ませて貼着する。その状態で、第２の剥離紙４を剥離させる。その結果、テープ本体２の粘着面２ａにおける第２の領域２ａ２が露出する。この粘着面２ａの第２の領域２ａ２を、図３１に示すように、書類Ｓの背Ｓｃの部分に巻き付けた上で書類Ｓの綴じ元側外面における裏面Ｓｂ側に貼着する。
【００４４】
このような構成のものであれば、書類Ｓの綴じ元側外面における裏面Ｓｂ側に貼り付けたテープ本体２の先端側部分は、書類Ｓの厚みに関わらず、先に貼り付けたテープ本体２の基端側部分と同一又は近似した幅寸法のものとなる。すなわち、書類Ｓが厚いものである場合には、前記第１及び第２の中間領域２ａ３１、２ａ３２がともに書類Ｓの背Ｓｃの部分に位置するので、先端側部分の幅が狭くなることを抑制することができる。書類Ｓの厚みが中程度である場合には、前記第１の中間領域２ａ３１が書類Ｓの背Ｓｃの部分に位置するので、先端側部分の幅が不当な寸法になるのを抑制することができる。書類Ｓが薄いものである場合には、前記第１及び第２の中間領域２ａ３１、２ａ３２が前記第１の領域２ａ１とともに書類Ｓの表面Ｓａ側に貼着されるので、先端側部分の幅が広くなりすぎることを抑制することができる。そのため、書類Ｓの表面Ｓａに位置するテープ本体２の基端側部分の幅寸法と書類Ｓの裏面Ｓｂに位置するテープ本体２の先端側部分の幅寸法が大きく異なって体裁が損なわれるという不具合を解消することができる。
【００４５】
さらに本実施形態では、表面に、単独剥離状態を実現すべく第１の剥離紙３をめくり始める位置を示す第１のマーカー３１、第１の連続剥離状態を実現すべく第１の剥離紙３をめくり始める位置を示す第２のマーカー３２及び第２の連続剥離状態を実現すべく第１の剥離紙３をめくり始める位置を示す第３のマーカー３３を備えているので、単独剥離状態又は第１、第２の連続剥離状態を実現すべく第１の剥離紙３をめくり始める位置を使用者にわかりやすく示すことができる。
【００４６】
また、前記第３のマーカー３３からめくり始める際に前記第１の調節用剥離紙５１と前記第１の剥離紙３とを連動させるのに必要な値に前記第１の控え距離ｄ１を設定してあるので、前記第２の連続剥離状態を確実に実現できる。換言すれば、第１の剥離紙３、前記第１の調節用剥離紙５１及び前記第２の調節用剥離紙５２を連動させて剥離する作業を確実に行うことができる。
【００４７】
加えて、前記第１の部分接続部６０１を、前記第５の部分接続部６０５を基点とし前記第１及び第３のマーカー３１、３３を施した端縁に向けて伸び第２の剥離紙４と第２の調節用剥離紙５２との境界線と４５度の傾斜をなして延びる仮想線Ｌよりも前記第１及び第３のマーカー３１、３３側に配しているので、第３のマーカー３３から前記仮想線Ｌに直交する方向に剥離紙を剥離する際に、前記第５の部分接続部６０５を切断するよりも前に前記第１の剥離紙３を前記第１の調節用剥離紙５１とを連動させて剥離することとなる。従って、前記第２の連続剥離状態をさらに確実に実現できる。
【００４８】
なお、本発明は以上に述べた実施形態に限らない。
【００４９】
例えば、上述した第一及び第二実施形態においては、第１の剥離紙をめくり始める位置をわかりやすく示すべく表面に複数のマーカーを備えるようにしているが、マーカーを省略する態様を採用してももちろんよい。
【００５０】
また、上述した第一実施形態においては書類を構成する用紙の枚数が２０枚以上の場合と２０枚以下の場合の２通りの書類への貼り付け態様、第二実施形態においては書類を構成する用紙の枚数が５５枚以上の場合と２５枚以上５５枚以下の場合と２５枚以下の場合の３通りの書類への貼り付け態様をそれぞれ選択できるようにしているが、調節用剥離紙の幅寸法を変更することにより、より幅広い範囲の枚数の書類に対応させるようにしてももちろんよい。さらに、テープ本体の粘着面の第１の領域と第２の領域との間に３つ以上の中間領域を設け、４通り以上の書類への貼り付け態様を選択できるようにしてももちろんよい。
【００５１】
加えて、上述した第一及び第二実施形態における部分接続部の位置及び数は、単独剥離状態及び連続剥離状態を選択的に実現可能なものであればどのように設定してもよい。
【００５２】
その他、上述した第一及び第二実施形態においては第１の剥離紙の長手方向寸法をＡ４サイズの用紙の長辺に対応する長さに設定しているが、Ａ４サイズの用紙の短辺に対応する長さに設定してもよく、さらに、その他のサイズ、例えばＡ５サイズやＢ５サイズの用紙の長辺又は短辺に対応する長さに設定する等、本発明の趣旨を損ねない範囲で種々に変形してよい。
【符号の説明】
【００５３】
１…製本テープ
２…テープ本体
２ａ…粘着面
２ａ１…第１の領域
２ａ２…第２の領域
２ａ３…中間領域
２ａ３１…第１の中間領域
２ａ３２…第２の中間領域
３…第１の剥離紙
３１…第１のマーカー
３２…第２のマーカー
３３…第３のマーカー
４…第２の剥離紙
５…調節用剥離紙
５１…第１の調節用剥離紙
５２…第２の調節用剥離紙
６…選択剥離手段
６１、６２…第１、第２の部分接続部
６０１〜６０６…第１〜第６の部分接続部
【図１】
2014024204.tif 000003
【図２】
2014024204.tif 000004
【図３】
2014024204.tif 000005
【図４】
2014024204.tif 000006
【図５】
2014024204.tif 000007
【図６】
2014024204.tif 000008
【図７】
2014024204.tif 000009
【図８】
2014024204.tif 000010
【図９】
2014024204.tif 000011
【図１０】
2014024204.tif 000012
【図１１】
2014024204.tif 000013
【図１２】
2014024204.tif 000014
【図１３】
2014024204.tif 000015
【図１４】
2014024204.tif 000016
【図１５】
2014024204.tif 000017
【図１６】
2014024204.tif 000018
【図１７】
2014024204.tif 000019
【図１８】
2014024204.tif 000020
【図１９】
2014024204.tif 000021
【図２０】
2014024204.tif 000022
【図２１】
2014024204.tif 000023
【図２２】
2014024204.tif 000024
【図２３】
2014024204.tif 000025
【図２４】
2014024204.tif 000026
【図２５】
2014024204.tif 000027
【図２６】
2014024204.tif 000028
【図２７】
2014024204.tif 000029
【図２８】
2014024204.tif 000030
【図２９】
2014024204.tif 000031
【図３０】
2014024204.tif 000032
【図３１】
2014024204.tif 000033